Podtech/llm-jp-corpus-v4-ja_patent huggingface dataset:
(57)【要約】      （修正有）【課題】植木鉢に植えた蘭を根詰まり、根腐れしにくくする。【解決手段】植木鉢の全面を透明で、可撓物質で作り、筒壁に凹部１と凸部２を交互に設けた。植木鉢の底部の中央部が高くなる円錐形４にした。植木鉢の全面に小孔３を設けた。【選択図】図１
0003108080.tif 000002
【実用新案登録請求の範囲】
【請求項１】
下方が戴頭円錐形に縮小されている筒壁に縦方向の凹部及び凸部を交互に設けた植木鉢
【請求項２】
請求項１に記載の植木鉢において底部を中央部が高くなった円錐形に形成したことを特徴とする植木鉢
【請求項３】
請求項１に記載の植木鉢において全面に多数の小孔を設けたことを特徴とする植木鉢
【請求項４】
請求項１に記載の植木鉢において全面を可撓性物質で形成したことを特徴とする植木鉢
【請求項５】
請求項１に記載の植木鉢において全面を透明物質で形成したことを特徴とする植木鉢
【考案の詳細な説明】
【技術分野】
【０００１】  本考案は、主として蘭を植え育てる植木鉢の形状にかんするものである。
【背景技術】
【０００２】  従来の植木鉢に植えた蘭は、根が生長するにしたがって、植木鉢の中が限られた空間のため根詰まりになる。【０００３】  従来の植木鉢に植えた蘭は、水やり後、植木鉢の底に近くなるほど水分が残り易いため根腐れしやすい。
【考案の開示】
【考案が解決しようとする課題】
【０００４】  本考案は、従来の植木鉢に植えた蘭が、根が生長するにしたがって、植木鉢の中が限られた空間のため根詰まりする。この課題を解決するためのものである。【０００５】  本考案は、従来の植木鉢に植えた蘭が、水やり後、植木鉢の底に近くなるほど水分が残り易いため根腐れしやすい。この課題を解決するためのものである。
【課題を解決するための手段】
【０００６】  請求項１の考案は、植木鉢の筒壁に図１と図２の符号１，２に示す様に縦方向の凹部と凸部を交互に設けた。【０００７】  請求項２の考案は、植木鉢の底部を中央部が高くなった円錐形に形成した。【０００８】  請求項３の考案は、植木鉢全面に多数の小孔たとえば２〜１０ミリメートル位の不定形の孔を設けた。【０００９】  請求項４の考案は、植木鉢の材質は、可撓性の物質たとえばプラスチック、ポリプロピレン、塩化ビニールである。【００１０】  請求項５の考案は、この植木鉢は透明である。
【考案の効果】
【００１１】  本考案の植木鉢は、植木鉢の筒壁に凹部と凸部を交互に設け、全面を可撓性の材質で形成したことにより、根の生長に合わせて植木鉢が変形するため根詰まりしにくい。【００１２】  本考案の植木鉢は、全面に多数の小孔を設けたため、水やり後植木鉢の底に余分な水分が残らないため、根腐れしにくい。【００１３】  本考案の植木鉢は、底の中央を円錐形に高くしたことにより、植木鉢の中の通気性が良くなり根腐れしにくい。【００１４】本考案の植木鉢は、透明なため、植木鉢の中の水分、根の状態がわかりやすい。
【考案を実施するための最良の形態】
【００１５】  この考案の実施形態を、図１、図２に示す。
図１は断面図である
図２は平面図である
【符号の説明】
１、    筒壁の凹部である
２、    筒壁の凸部である
３、    全面の多数の小孔である
４、    底部の円錐形である
【図１】
0003108080.tif 000003
【図２】
0003108080.tif 000004
(57)【要約】【課題】本考案は電池収納ケース部及びヒーター内臓発熱部を軽量化を施し一体化しヒーターの熱を利用し発熱部の温度を上昇させ、予め過熱された飲料水等に発熱部を差し入むことにより加熱飲料水等の保温をする。【解決手段】本考案は電池収納ケース部１及びヒーター内臓発熱部２を小型軽量化を施し逆Ｖ字形状一体化を施し、片側電池収納ケース部１にスイッチ３を備え片側ヒーター内蔵発熱部２とし発熱部２の温度上昇制御自在可能とし、且つ、逆Ｖ字型形状にて施す凹部４を器縁に合致させ当該部を基点にすることにより発熱部２は飲料用器内側に差し込み電池ケース部１を外側に設置可能となり、加熱飲料水等を保温することに役立つ。【選択図】  図１
0003108077.tif 000002
【実用新案登録請求の範囲】
【請求項１】
小型電池ケース部に発熱部を一体化し備え付け、発熱部を電池エネルギーにより発熱させ加熱飲料水及び流動食物に発熱部を差し込み、保温する小型保温器。
【考案の詳細な説明】
【技術分野】
【０００１】  本考案は、小型電池ケース部にヒーター内臓発熱部を設けた保温器に関するものである。
【背景技術】
【０００２】  予め加熱された飲料水及び流動食物等は、時間経過と共に温度低下を起こすため保温状態での飲用時間は短時間であった。
【考案の開示】
【考案が解決しようとする課題】
【０００３】  保温状態の継続には電力、火力等を使用するため消費エネルギーが増し、また、人的負担も重なり、さらには、喫茶店、病院、飲食店等の有料販売品での保温状態の飲用継続は困難である。従って電池ケース部とヒーター内臓発熱部を一体化させ小型軽量化し、電池エネルギーを利用し発熱部の温度を上昇させ予め加熱された飲料水及び流動食物に当該部を差し込むことにより、使用場所や飲料用器形状並びに器材、さらには、飲料物に制限無く、安全に、簡易に保温が可能となり前述の欠点を解決しようとするものである。
【課題を解決するための手段】
【０００４】  本考案は、電池収納ケース部とヒーター内蔵発熱部を小型軽量化を施し逆Ｖ字形状一体型に形成し、電池収納ケース部に制御回路を組み込み片側ヒーター内臓発熱部として電池ケース部にスイッチを備え付け発熱部の温度上昇制御を自在可能とし、且つ、逆Ｖ字字型形状で形成する凹部を飲料用器縁に合致させ当該凹部を基点にすることにより、発熱部は飲料用器内側に電池ケース部は器外側に設置可能となり問題点を解決している。
【考案の効果】
【０００５】  上述の様に、本考案の電池式小型保温器は小型軽量のため携帯性に優れ、簡易に取り扱いができ、加熱飲料水及び流動食物等の種類や器形状、器材、使用場所が自在となり保温状態の継続に役立ち、さらには、省エネルギー化にも役立つ。
【考案を実施する為の最良の形態】
【０００６】  電池ケース及び発熱部に一体型防水処理を施し電池ケース上部にスイッチを装備し入り切により発熱部ヒーターの温度制御を行い、入りの状態でヒーターの温度上昇を施す。
発熱部は上下可動により飲料水の量及び器の深さに応じて接触部が自在となる。
また、滑り止めラバーゴムを電池ケース側面及び凹部に装備し器縁に接触させ脱落防止用とする。逆Ｖ字型形状により片側発熱部を器内側に差し込み片側の電池ケース部を器外側に密着させラバーゴムにより固定されるが、簡易に係止自在となる。
また、防水処理により全体を洗浄可能となり衛生面も安全である。
【実施例】
【０００７】  以下、添付図面に従って一実施例を説明する。１は耐久性のプラスチックス等適宣素材にて防水処理を施しスイッチ３を備え一体形成された電池収納ケース、２は飲料水等を保温するために、該電池ケースに一体形成されたヒーター内臓発熱部で、この発熱部と該電池ケースを凹部４を基点にＶ字型に形成し、発熱部２は上下可動自在となる。
落下及び滑り止め防止に硬質ラバーゴムを電池ケース１の内側及び凹部４に備える。【０００８】  本考案の一実施例は上述の如き構成からなるものであるから、簡易に保温する事が可能となるのは勿論であるが、電池ケース部１のスイッチ３を切り発熱部２の温度上昇を係止し洗浄可能となり安全に保管ができる。
【図面の簡単な説明】
【０００９】
【図１】本考案小型保温器の一実施例を示す正面図である。
【符号の説明】
【００１０】  １  電池収納ケース
２  発熱部
３  スイッチ
４  凹部
【図１】
0003108077.tif 000003
(57)【要約】【課題】  特定条件の元での発泡成形体による断熱ボトルを提供すること。【解決手段】  合成樹脂製の発泡成形体としてのボトル本体５が、大径有底円筒胴部１と、胴部１上部の絞り部２に続く小径口部４とから成り、該口部４に螺設されたネジ部３にキャップ６が螺合される。【選択図】  図１
0003108044.tif 000002
【実用新案登録請求の範囲】
【請求項１】
合成樹脂製の発泡成形体が、大径有底円筒胴部と該胴部上端の小径口部とから成り、該口部にキャップが螺合されて成る断熱ボトル。
【請求項２】
前記発泡成形体が、その連続気泡率を40乃至50%とし、内厚を3mm乃至5mmとして表面に強度保持層を部分的に形成して成る請求項１記載の断熱ボトル。
【考案の詳細な説明】
【技術分野】
【０００１】
本考案は、清涼飲料やジュースなどを充填して保冷できる断熱ボトルに関する。
【背景技術】
【０００２】
断熱容器は種々提案されているがその大部分のものは内容物の熱を持つ手に伝熱させないよう断熱性を重視しているので、内容物（飲料など）全体を断熱材で包蔵した場合には、冷却された飲料などを充填したときは別として、その内容物を外部から冷却するには効率がきわめて低かった。
このためにペットボトルなどの比較的に大型の飲料容器に充填される清涼飲料にあっては、一度に飲用されることは稀であるため、残される飲料を簡易に保冷するため、飲料容器用保冷ボトルが特開平０７−２０６０５２号公報に提案されている。
しかし、多量の飲料を収納するには都合の良いものであるが、少量の飲料を収納する小型の飲料容器にあっては、小容量の飲料と保冷ボトルとのコスト比が高くなってその利用は不経済なものとなる。
そこで、断熱材としての発泡成形体の連続気泡率と内厚などの条件を適度に選択することによって、強制的な外方からの冷却によって飲料が容易に冷却されるとともに、飲用時にはその放熱が緩慢であるため保冷状態を長く持続できることに改善点を知見したものである。
そして、連続気泡率を高くしたときに強度上の物性が低下することから、強度保持層をボトルの周面(好ましくは内周面)に形成することで耐久強度の向上を図ったものである。
【特許文献１】特開平０７−２０６０５２号公報
【考案の開示】
【考案が解決しようとする課題】
【０００３】
本考案は特定条件の元での発泡成形体による断熱ボトルの提供をその目的とするものである。
【課題を解決するための手段】
【０００４】
請求項１に記載した断熱ボトルは、合成樹脂製の発泡成形体が、大径有底円筒胴部と、該胴部の上部の絞り部に続く小径口部とから成り、該口部に螺設されたネジ部にキャップが螺合されて成る。
請求項２に記載した断熱ボトルは、請求項１に記載した断熱ボトルにおいて、前記発泡成形体が、その連続気泡率を40乃至50%とし、内厚を3mm乃至5mmとして表面に強度保持層を部分的に形成して成る。
【考案の効果】
【０００５】
本考案は、ボトル本体が発泡成形体で成形されるから、ボトル内の飲料が飲用されるときでも保冷状態が長く持続され、行楽時などで重いクーラーボックスを持ち運ぶことなく各人が必要数携帯して冷たい飲料を口にすることができる。また、強度保持層を形成したものでは、自動販売機などでの落下に際しても損傷を受けることがない。このほか、発泡成形体は壊れ易いので廃棄処分が容易となる。
【考案を実施するための最良の形態】
【０００６】
大径有底円筒胴部と小径口部とから成るボトル本体は、ポリスチレン系の合成樹脂を主体として、気泡調整剤や発泡剤が適量添加されて加熱成形され、キャップはプラスチック製のものから金属製に至るまで各種であり、内面頂部には適宜な発泡成形体の断熱体が内嵌されたものも提供される。
ボトル本体の表面に形成される強度保持層は、縦縞模様に配設するものから、丸や楕円などの各種形状の抜き窓が開口されて配設される。
【実施例】
【０００７】
本考案の断熱ボトルＡを実施例により説明すると、図１に示すように、ポリスチレン系樹脂の粒子に気泡調節剤や発泡剤を適量添加して適宜な加熱媒体で加熱して予備発砲させた発砲粒子を得、次いで所要形状の金型内に充填して加熱し、大径有底円筒胴部１と、該胴部１の上部を絞った絞り部２に続いて外面に雌ネジを螺設したネジ部３を形成した小径口部４とから成る肉厚5mmの発泡成形体のボトル本体５が得られ、小径口部４のネジ部３にプラスチック製で内面頂部に適宜な断熱材を内嵌したキャップ６が螺合されて成る。
【０００８】
このようにして成る断熱ボトルＡは、ボトル本体５の発泡成形体をその連続気泡率を40%以下にして強度を重視したものであるため、強制冷却にはその分だけ時間を要するものである。
【０００９】
図２に示した断熱ボトルＢは、発泡成形体の連続気泡率を50%とし、肉厚5mmのうち厚さ1mmの強度保持層７を周面所要個所で全長に渡って縦縞模様に設けたボトル本体５と、プラスチック製で内面頂部に適宜な断熱材を内嵌し小径口部４のネジ部３に螺合するキャップ６とから成る。このものは連続気泡率を高くしたから、強制冷却し易くなった分強度が低下するため、部分的に強度保持層７で耐久強度の向上を図ったものである。
【００１０】
断熱ボトルＡ、Ｂは、強制冷却された後は飲用に際しても携帯する場合でもその放熱が緩慢であるから、保冷状態が長く持続される。自動販売機などで提供する場合でも断熱ボトルＢによれば落下時に損傷を受けることや、搬送時の段積み圧力によって壊れることなどがない。
このほか、使用済みの断熱ボトルＡ、Ｂには冷蔵庫で冷やされた水や、行楽時に渓流や沢などの冷水を詰め込んで保冷状態で再利用できる点でも有益である。
【産業上の利用可能性】
【００１１】
本考案は、清涼飲料業界や酒類製造業界においても保冷維持が長くなることで消費拡大に貢献できる。
【図面の簡単な説明】
【００１２】
【図１】本考案に係る断熱ボトルＡの縦断説明図。
【図２】本考案に係る断熱ボトルＢの一部縦断説明図。
【符号の説明】
【００１３】
１：大径有底円筒胴部
２：絞り部
３：ネジ部
４：小径口部
５：ボトル本体
６：キャップ
７：強度保持層
Ａ、B：断熱ボトル
【図１】
0003108044.tif 000003
【図２】
0003108044.tif 000004
(57)【要約】      （修正有）【課題】とりわけ自動車燃料回路整備において、二枚金属平板ボルト合わせ式により、ホースを圧迫し、流体の流出を防ぎ、安全な段取りが出来、作業も短時間ですませることができるホースクランプの提供。【解決手段】金属平板に２個の丸穴と、センターに固定の為の溝を入れた上部溝付丸穴プレート１と、同様に、金属平板に２個のタップ穴とセンターに溝を入れた下部溝付タッププレート２よりなり、この二つのプレートをホース上下にあてて、ボルト３をスプリングワッシャー４とワッシャー５を介して、締め付け圧迫すれば、流体の流出は止まり、とりわけ自動車燃料系部品交換の作業等、段取りが簡単で、容易になり、安全作業が可能となる。【選択図】  図１
0003108060.tif 000002
【実用新案登録請求の範囲】
【請求項１】
金属平板に丸穴を２個設け、センターに固定用の溝を切削したものと、同様に平板にタップ穴を２個設け、センターに溝を切削したものとで、ホースを上下より押さえ、ボルトで固定し、締め付け圧迫することにより液体の流出を止めるを目的とした、とりわけ自動車燃料回路整備に不可避な、安全な段取りの為に使用するところを特徴としたフューエルホースクランプ
【考案の詳細な説明】
【技術分野】
【０００１】  本考案は、金属平板にタップ穴とセンターに固定の為の溝を設けたものと、同様に平板に丸穴とセンターに溝を設けたものとではさんで、ボルトで締め付け圧迫するホースクランプに関するものである。
【背景技術】
【０００２】  近年、自動車原動機の燃料供給は噴射式が主流となり、燃料配管に高い圧力をかけている。燃料供給系の部品（燃料ポンプ、燃料フイルター、レギュレーター、タンク、ホース等）交換の際、燃料回路の残留圧力に十分配慮し、回路解放時の燃料噴きだし対策の為の段取りを確実にこなすのが何よりも安全上大事である。
【考案の開示】
【考案が解決しようとす課題】
【０００３】  燃料タンクよりの燃料抜きは火災の危険を伴い、大事に至った者も多数存在するが故、燃料の流出を最少におさえることは作業の段取りにかかせないことである。従って、金属平板をはさみこんで、ボルトで締め付け圧迫することで、確実なホースクランプが可能となり、前述の欠点を解決しようとするものである。
【課題を解決するための手段】
【０００４】  本考案は、金属平板にタップ穴を２個設け、センターに固定用の溝を切削したものと、同様に平板に丸穴を２個と、センターに溝を切削したものとでホースをはさみこんで、ボルト締めして圧迫し、流出を防ぐとともに、平板押さえなので面圧が小さくホース損傷も最少にならしめて作業の段取りがつくことにより問題点を解決している。
【考案の効果】
【０００５】  上述の様に、本考案のフューエルホースクランプは金属平板ではさみこんで、２本のボルトで締め付け圧迫するので、確実に流体の流出を防ぐことにより段取りが決められて、安全な作業が可能となる。又平板によりホースへの面圧も下がるので、変形によるホース損傷も低減する。
【考案の実施する為の最良の形態】
【０００６】  燃料タンクのキヤップを一度はずし、負圧を解放したのち、適切な時間放置した後で作業の段取りに入る。（レギュレーターによる残圧がある為）まず、交換するパーツの燃料タンク側のホースに金属平板のタップ穴を設けたものと、同様に金属平板の丸穴を設けたものとではさみ込み、ボルトにて締め付け圧迫する。同様に交換するパーツの原動機側ホースへも、この平板セットを取り付け、ボルトを締め圧迫することにより、流出流体を最少にして、作業の段取りが可能となる。さらに、取りはずす部分の前後にも、同様のセットを取り付けボルトを締め圧迫すればさらに流出を押さえることができる。
【実施例】
【０００７】  以下、添付図面に従って一実施例を説明する。１は金属の平板に二つの丸穴とセンターに溝を入れた上部溝付丸穴プレート、２は金属の平板に二つのタップ穴とセンターに溝を入れた下部溝付タッププレート、この二つのプレートをホース上下にあてて、ボルト３を、スプリングワッシャー４とワッシャー５を介して締め付け圧迫すれば、流体の流出は止まる。実際の作業段取りには、以上のセットを４個ほど同時に使用すれば、なお一層、安全性が向上する。
【図面の簡単な説明】
【０００８】
【図１】本考案のフューエルホースクランプの一実施例を示す組立図である。
【図２】組み付け断面図である。
【符号の説明】
【０００９】１  上部溝付丸穴プレート
２  下部溝付タッププレート
３  ボルト
４  スプリングワッシャー
５  ワッシャー
【図１】
0003108060.tif 000003
【図２】
0003108060.tif 000004
(57)【要約】【課題】  関節等の貼付箇所が曲がる場所においても、シワなどの発生を防ぎ、剥がれにくく、外部からの水や雑菌等の進入を防ぐことのできる絆創膏を提供する。【解決手段】  絆創膏の支持体１の対向する２辺をパッド２側へと内側に湾曲させて、曲線形状とする。【選択図】図１
0003108052.tif 000002
【実用新案登録請求の範囲】
【請求項１】
向かい合う２辺が内側へ湾曲していることを特徴とする、絆創膏。
【請求項２】
支持体の粘着剤層の上にパッドが配置されている絆創膏において、支持体の向かい合う２辺が内側へ湾曲していることを特徴とする、絆創膏。
【考案の詳細な説明】
【技術分野】
【０００１】
本考案は、ひじ、ひざ、肩、手首、足首、指等の関節部位に貼付する絆創膏に関する。そのような絆創膏としては、傷口を保護するガーゼを固定するのに使用する一般的にフィルムと呼ばれる絆創膏や、一方の面に粘着剤が塗布された支持体の粘着剤層の上にパッドが配置された絆創膏がある。
【背景技術】
【０００２】
絆創膏は、日常生活の中で予期せぬ創傷に対する応急処置の方法のひとつとして、広く普及している。また、さまざまな傷口の大きさ、深さ、部位に対応できるように、絆創膏の大きさや形状もさまざまなタイプが製造され、販売されている。これら絆創膏は、需要が多いことから大量生産され、比較的安価な価格で市場に流通している。これらの絆創膏は、製造工程の簡素化、効率化、容易さの背景もあり、長方形、または、四隅の角を丸めた形を採用しているものが多い。
【０００３】
しかし、ひじ、ひざ、肩、手首、足首、指などの関節部位に絆創膏を貼付する場合、貼付後に関節部位を動かすと、関節部位の動きに対応できず、絆創膏が一部浮き上がったり、剥がれたりして、外部から水や雑菌が進入するといった問題があった。
【０００４】
この対策として、さまざまな形状の絆創膏がこれまでに提案されている。例えば、実用新案公開昭５５−１２９８０、実用新案公開昭６３−１９５８３１は、パッドの幅方向の粘着剤層面に張出部を設けた絆創膏を開示しているが、長方形の基本形状には変わらないことから上記の課題を解決することはできなかった。
また、実用新案公開平６−８１５１７は、少なくとも一組の対向する辺が同じ向きに弧を形成している絆創膏を開示し、特開２００１−１４５６５６では、支持体を楕円形状にすることで関節部位での大きな動きに対応できる絆創膏を開示しているが、一方向の動きに特化したものであったり、指などの細い間接部位に特化したものであったり、関節部位のすべての動きに対応できず、これまでの課題を解決することは困難であった。
【考案の開示】
【考案が解決しようとする課題】
【０００５】
人間の体の表面部はでこぼこしており、平面ではなく、むしろ曲面である。関節部位ともなると、その曲面具合は、それ以外部位よりも大きいものである。さらに人間の体は、その関節部位を自由自在に動かして曲げたり、伸ばしたりすることができる。また、転んで怪我をするときなどは、ひじ、ひざといった関節部位が対象になることが非常に多い。
絆創膏は、こういった怪我をすることが多い関節部位において、水や雑菌などの外的要因から傷口を守るために、しっかりとくっつき、間接を動かした際も剥がれたり、一部浮き上がったりしないように設計しなければならない。
【課題を解決するための手段】
【０００６】
本考案は、上記事情に鑑みて創案されたものであって、以下の特徴を備えた絆創膏を提供するものである。
すなわち、一方の面に粘着剤が塗布されたフィルム状の絆創膏、または支持体の粘着剤層の上にパッドが配置された絆創膏において、絆創膏の向かい合う２辺を内側へ湾曲させている。
【考案の効果】
【０００７】
上記構成を備えた本考案の絆創膏においては、絆創膏の向かい合う２辺が内側へ湾曲しているので、貼付後に関節部位を動かしても、関節部位の動きに容易に対応できる。したがって、絆創膏が一部浮き上がったり、剥がれたりすることを有効に防止でき、その結果、外部から水や雑菌が進入することを防止できる。
【考案を実施するための最良の形態】
【０００８】
本考案の絆創膏の好ましい実施形態を、添付の図面を参照して具体的に説明する。
【０００９】
図１は、本考案の一実施形態に係る絆創膏を示す上面概略図である。図１の絆創膏は、傷口に接触するパッド２と支持体１で構成される。支持体１の一方の面には皮膚に貼り付けるための粘着剤が塗布されていて、この粘着剤層の上にパッド２が配置されている。
【００１０】
図１中に参照符号３に示したように、支持体１の向かい合う２辺をパッド２側に向かって内側へと湾曲させている。このように、向かい合う２辺を曲線状に構成することで、貼付後に関節部位を動かしても、関節部位の動きに容易に対応でき、絆創膏の浮上がりや、剥がれを有効に防止できる。
【００１１】
支持体１は、絆創膏の基材であり、通常用いられるポリエチレンやポリプロピレン等のポリオレフィン系樹脂、ポリ塩化ビニル、ポリウレタン、ポリアミド、ポリ塩化ビニリデン、エチレン、ビニルアセテート等のポリマーシート、布、不織布等で構成することができる。
本考案において、支持体１の材質が特定のものに限定されるものではないが、関節部位の伸縮に応じて、また皮膚表面の形状に応じて伸縮自在に対応し、常に貼付部位に対して好適に密着した状態を保持できるものが好ましい。また、患部の蒸れを防止するため、適度の透湿性、あるいは水蒸気透過性を有するものが好ましい。
【００１２】
支持体１に塗布する粘着剤は、通常用いられる天然ゴム系、合成ゴム系、アクリル系、シリコーン系等の粘着剤を使用することができる。一般的には、皮膚への刺激が少ないアクリル系の粘着剤を用いることが好ましい。
【００１３】
パッド２は、脱脂綿、ポリエチレン、不織布等で構成することができる。パッド２の厚さは、１ｍｍ以上であることが望ましい。１ｍｍ未満だと、傷口からの血液がパッド２を通して支持体１まで到達し、さらには、支持体１を通して衣服に血液が付着することも考えられる。また、厚さが１ｍｍ未満の場合、患部への外的刺激に対する緩和効果が不十分となり、さらに傷口を広げることにも成りかねない。
さらに、パッド２は、支持体１と同様に、関節部位の伸縮に応じて、また皮膚表面の形状に応じて伸縮自在に対応し、常に貼付部位に対して好適に密着した状態が保持されるものが好ましい。パッド２は傷口に接触しているので、関節の動きに追従する伸縮性があれば、関節を動かすことで傷口にかかる圧力が分散されて、傷口への負担を軽減できる。
【００１４】
図１に示した絆創膏は、支持体１の粘着層にパッド２を備えたものであるが、そのようなパッドを備えていない絆創膏（傷口を保護するガーゼを固定するために使用する一般的にフィルムと呼ばれる絆創膏）に対しても本考案を適用可能である。
【００１５】
そのような絆創膏（フィルム）は、図示していないが、その形状は図１からパッド２を省略したものとして考えることができる。
そのような絆創膏においても、絆創膏の向かい合う２辺を内側へと湾曲させることで、上記と同様の効果を得ることができる。なお、そのような絆創膏においても、粘着層として上記と同じ粘着剤を使用できる。
【図面の簡単な説明】
【００１６】
【図１】本考案の一実施形態に係る絆創膏の概略図である。
【符号の説明】
【００１７】
１  支持体
２  パッド
３  湾曲部
【図１】
0003108052.tif 000003
(57)【要約】      （修正有）【課題】倍率色収差の少ない高画質のＥＮＧレンズを提供する。【解決手段】フォーカスレンズ群４枚構成の内、第２・第３レンズ２枚ガ低分散ガラス製、次が変倍レンズ群４枚構成の次に補正レンズ群２枚構成の後に、５枚構成のリレーレンズに続いて４枚構成の結像レンズ群の全１９枚のレンズ群で構成されたＥＮＧレンズの、リレーレンズ群の第３レンズ及び、結像レンズ群の第１・第２及び第４レンズの４枚を低分散ガラス製にする。【選択図】図１
0003108094.tif 000002
【実用新案登録請求の範囲】
【請求項１】
フォーカスレンズ群４枚構成のうち、第２・第３レンズ２枚は低分散ガラス使用、その後にズーム機構に保持される可動の変倍レンズ群４枚構成と補正レンズ群２枚構成が有り、その後に５枚構成のリレイレンズ群の内第３レンズ１枚に低分散ガラスを使用、最後にマクロ機構に保持された４枚構成の結像レンズ群の内第１・第２及び第４レンズの３枚に低分散ガラスを使用することを特徴とした１９枚のレンズ構成による、高倍率ズーム機構・マクロ機構搭載の３ＣＣＤカメラ用ＥＮＧレンズ。
【考案の詳細な説明】
【技術分野】
【０００１】  本考案は、３ＣＣＤカメラ用ＥＮＧレンズレンズ構成に関する物である。
【背景技術】
【０００２】  従来３ＣＣＤカメラ用ＥＮＧレンズは、フォーカスレンズ群４枚構成の内２枚は低分散ガラスを使用している。その後ろに可動する変倍レンズ群４枚構成と補正レンズ群２枚構成によるズーム機構の後に、リレーレンズ群５枚構成と後ろにマクロ機構を介して結像レンズ群４枚構成、によって構成されている。【０００３】  このＥＮＧレンズは、ズーム機構及びマクロ機構を搭載し、マウント機構には１／２″バヨネットマウントが採用される。
【特許文献】
【非特許文献】
【考案の開示】
【考案が解決しようとする課題】
【０００４】  当ＥＮＧレンズは、Ｗｉｄｅ〜Ｔｅｌｅまで″（２４Ｘ）ズームで、倍率色収差による画質の劣化の問題がある。
【課題を解決するための手段】
【０００５】  本考案ではＥＮＧレンズの全１９枚のレンズ構成の内リレーレンズ群５枚構成の内第３レンズと、結像レンズ群４枚構成の内の１枚目・２枚目及び４枚目に低分散ガラスを使用する事で倍率色収差を低減する。
【考案の効果】
【０００６】  本考案に拠って公称値  ｆ＝７．０〜１６８（２４Ｘ）のズーム機構搭載の倍率色収差の少ない高画質のＥＮＧレンズを提供できる。
【考案を実施するための最良の形態】
【０００７】  従来倍率色収差が出易い高倍率ズーム機構搭載のＥＮＧレンズの形態。
【実施例１】
【０００８】  図１は本考案のレンズ配列・構成の説明図で、４枚構成のフォーカスレンズ群（１Ａ）（１Ｂ）（１Ｃ）（１Ｄ）の内第２（１Ｂ）第３（１Ｃ）レンズは低分散ガラスを使用している。その後ろに位置可変の４枚構成の変倍レンズ群（２Ａ）（２Ｂ）（２Ｃ）（２Ｄ）と、これに連動する２枚構成の補正レンズ群（３Ａ）（３Ｂ）がズーム機構に保持されいて、その後に５枚構成のリレーレンズ群（４Ａ）（４Ｂ）（４Ｃ）（４Ｄ）（４Ｅ）の後に、マクロ機構に保持された４枚構成の結像レンズ群（５Ａ）（５Ｂ）（５Ｃ）（５Ｄ）の全５組１９枚のレンズ群によって構成される高倍率ズーム機構・マクロ機構搭載の３ＣＣＤカメラ用ＥＮＧレンズで、本考案はリレーレンズ群の内の第３レンズ、及び結像レンズ群の第１・第２・及び第４の４枚のレンズ（４Ｃ）（５Ａ）（５Ｂ）（５Ｄ）に低分散ガラスを使用して倍率色収差を低減して、高倍率ズーム・高画質のＥＮＧレンズを提供するものである。
【産業上の利用可能性】
【０００９】  ３ＣＣＤカメラ用ＥＮＧレンズとして倍率色収差の少ない高画質・高倍率ののズーム機構搭載レンズが提供出来る。
【図面の簡単な説明】
【００１０】
【図１】  本考案実施例の説明図である。
【符号の説明】
【００１１】  １Ａ‥‥フォカスレンズ群  第１レンズ
１Ｂ‥‥フォカスレンズ群  第２レンズ（低分散ガラス）
１Ｃ‥‥フォカスレンズ群  第３レンズ（低分散ガラス）
１Ｄ‥‥フォカスレンズ群  第４レンズ
２Ａ‥‥変倍レンズ群  第１レンズ
２Ｂ‥‥変倍レンズ群  第２レンズ
２Ｃ‥‥変倍レンズ群  第３レンズ
２Ｄ‥‥変倍レンズ群  第４レンズ
３Ａ‥‥補正レンズ群  第１レンズ
３Ｂ‥‥補正レンズ群  第２レンズ
４Ａ‥‥リレーレンズ群  第１レンズ
４Ｂ‥‥リレーレンズ群  第２レンズ
４Ｃ‥‥リレーレンズ群  第３レンズ（低分散ガラス）
４Ｄ‥‥リレーレンズ群  第４レンズ
４Ｅ‥‥リレーレンズ群  第５レンズ
５Ａ‥‥結像レンズ群  第１レンズ（低分散ガラス）
５８‥‥結像レンズ群  第２レンズ（低分散ガラス）
５Ｃ‥‥結像レンズ群  第３レンズ
５Ｄ‥‥結像レンズ群  第４レンズ（低分散ガラス）
６‥‥‥レンズ鏡筒
７‥‥‥ズーム機構
８‥‥‥マクロ機構
９‥‥‥マウント部
１０‥‥‥アイリス機構
【図１】
0003108094.tif 000003
【手続補正書】
【提出日】平成16年9月16日(2004.9.16)
【手続補正１】
【補正対象書類名】実用新案登録請求の範囲
【補正対象項目名】全文
【補正方法】変更
【補正の内容】
【実用新案登録請求の範囲】
【請求項１】
フォーカスレンズ群４枚構成のうち、第２．第３レンズ２枚は低分散ガラス製レンズを使用構成され、その後にズーム機構に保持される可動の変倍レンズ群４枚構成と補正レンズ群２枚構成が有り、その後の５枚構成のリレイレンズ群の内第３レンズ１枚を低分散ガラス製レンズとし、最後にマクロ機構に保持された４枚構成の結像レンズ群の内第１．第２及び第４レンズの３枚を、低分散ガラス製レンズを使用することを特徴とする、１９枚のレンズ組合せ構成による、高倍率ズーム機構・マクロ機構搭載の３ＣＣＤカメラ用ＥＮＧレンズ。
(57)【要約】【目的】動物の首に広く巻いた部位と口の周囲とを囲む部分が一体化する事に因り前後、上下の振れを止め、円筒状の径も小さく押さえられ、患部を舐めたり噛んだりする事を不可能にする【構成】動物の首廻りを周回する部位と、広角に広がる部位と、再度角度修正した部位を一体で有する構造【選択図】  図２
0003108095.tif 000002
【実用新案登録請求の範囲】
【請求項１】
動物の首廻りを周回する１と、広角に広がる２と、再度角度修正した３を有するエリザベスカラー
【考案の詳細な説明】
【考案の詳細な説明】
【考案が解決しようとする課題】
【０００１】従来動物の傷口保護に使用するエリザベスカラーは円盤状のフィルムに首径の穴を開けた構造で、首に装着すると前後、上下に動き、動物の口から傷口を護る為に大きめのサイズのエリザベスカラーを使用してきました、その結果動物にストレスをかける、寝にくい、歩きにくい等数々の問題が有ります
【課題を解決するための手段】
【０００２】上記問題を解決するため、首廻りに幅広く巻き付ける円筒状の部分を有し首の動きを制約しその部分より、一体で頭部の頂点より上に延びた形状で立ち上げ、再度緩い角度に修正する事より、前後、上下の振れを止め、円筒状の径も小さく押さえられる
【考案の効果】
【０００３】  首廻りと一体で製作した円筒状の部位が動物の口の周囲を囲み込む事により従来のエリザベスカラーより小さく済みまた首の曲げ角も制御されるので、動物の口から傷口を護るのに小型で大きな効果が得られると共に首廻りと口廻りが一体なので簡単に短時間で脱着できる
【図面の簡単な説明】
【図１】    本体全体の斜視図
【図２】    動物に本考案品をセットした図
【符号の説明】
１  首廻りに幅広く巻き付ける円筒状の部位
２  広角に広がる部位
３  再度角度修正した部位
【図１】
0003108095.tif 000003
【図２】
0003108095.tif 000004
【手続補正書】
【提出日】平成16年9月22日(2004.9.22)
【手続補正１】
【補正対象書類名】実用新案登録請求の範囲
【補正対象項目名】請求項１
【補正方法】変更
【補正の内容】
【請求項１】
動物の首廻りに周回する幅広く巻き付ける円筒状の部位と、広角に広がる部位と、再度角度修正した部位を有するエリザベスカラー
(57)【要約】      （修正有）【課題】全体を開閉することなく煽り止めやレバー等の操作が可能となり、防虫効果が得られる。【解決手段】網戸枠を柔軟性のある素材で構成したフレキシブル構造とし、任意の箇所を必要に応じて捲れるようにすると共に防虫スクリーンと窓枠４にマグネットシート３を貼付け、磁力により密着させ防虫効果を得る。防虫スクリーン枠１にコルクなどの天然素材を使用すれば、薄く外観もシンプルでログハウス等の木窓、木壁には最適である。【選択図】図１
0003108093.tif 000002
【実用新案登録請求の範囲】
【請求項１】
柔軟性のある材料で形成した枠に防虫網を貼り付けた防虫スクリーン。
【請求項２】
上記の取り付けにマグネットシートを用い密着させる防虫スクリーン。
【考案の詳細な説明】
【技術分野】
【０００１】本考案は柔軟性のある材料で枠を形成したフレキシブル構造の防虫スクリーンで、窓枠とはマグネットシートにより密着させ防虫効果を得ると共に任意の箇所を必要に応じて捲れるようになっている。
【背景技術】
【０００２】ログハウスに多く見られる開き窓の場合、防虫のために網戸を窓の内側に設けることになるが、窓の開閉時、煽り止めやレバー等の操作に関し特殊な開閉装置が必要であった。
【考案の開示】
【考案が解決しようとする課題】
【０００３】特殊な開閉装置を用いない場合、従来のアルミ製、木製等の網戸では開閉の際、縦横へのスライド又は手前への引き戸であり窓の周囲に開閉のスペースが必要であること、又、開閉の箇所、開閉の方向は決まっており自由度に制約があった。
【課題を解決するための手段】
【０００４】網戸に替わるものとして、柔軟性を持つ材料で形成した枠に防虫網を貼り付けた防虫スクリーンをマグネットシートにて窓枠に密着させ任意の箇所を必要に応じて捲れることで開閉を可能とした。
【考案の効果】
【０００５】本体をフレキシブルな構造にすることで任意の箇所を必要に応じて捲れるため全体を開閉することなく煽り止めやレバー等の操作が可能となり防虫スクリーンと窓枠とはマグネットシートにより密着させることで防虫効果が得られる。
【考案を実施するための最良の形態】
【０００６】柔軟性を持つ材料として、樹脂や薄い金属板、コルクシートなどを使用し防虫網の貼り付けには柔軟性のある接着剤シリコンシーラント等を用いることでしなやかな構造とする。取り付けは窓枠上部からの吊り下げとし防虫スクリーンと窓枠にマグネットシートを貼り密着させる。構造上防虫網が多少たわむが日本古来の蚊帳を思えば防虫効果に問題はない。
【図面の簡単な説明】
【０００７】
【図１】  防虫スクリーン全体を示した斜視図である。
【符号の説明】
【０００８】  １  防虫スクリーン枠
２  防虫網
３  マグネットシート
４  窓枠
【図１】
0003108093.tif 000003
【手続補正書】
【提出日】平成16年9月13日(2004.9.13)
【手続補正１】
【補正対象書類名】実用新案登録請求の範囲
【補正対象項目名】請求項２
【補正方法】変更
【補正の内容】
【請求項２】
上記の取り付けにマグネットシートを用い密着させることを特徴とする請求項１に記載の防虫スクリーン。
(57)【要約】【課題】  本考案は、ブラインドの拭き掃除の効率と確実性と手軽さを総合的に向上させる為の低価格な器具を提供する。【解決手段】  本考案は、本体の基盤となる板材の片面に、本体を手に装着させる為の構造を設け、その反対側の面に滑り止め加工を施す事により、ブラインドの拭き掃除をする際にブラインドを背面から支持し、固定する為の補助板として役立つ。【選択図】  図１
0003108097.tif 000002
【実用新案登録請求の範囲】
【請求項１】
板材の片面に、本体を手に装着させる為の構造を設け、反対側の面に、滑り止め加工を施したブラインド拭き掃除補助板。
【考案の詳細な説明】
【技術分野】
【０００１】  本考案は、ブラインド掃除の効率と確実性と手軽さを総合的に向上させる為の器具に関するものである。
【背景技術】
【０００２】  ブラインドの掃除に関して数多くの器具が発明、又は、考案されているが、それらは構造が複雑な為に価格が高そうなものや、装置が大掛かりな為に、使用するにあたって手軽さに欠けるものが殆どである。中には、特許公開２００３−３４３１７８のブラインド掃除具のように、ブラインドの両面を同時に拭く事が出来て作業効率が大変良く、価格もさほど高くなさそうなものもあるが、これは、構造上ブラインドの羽根に加わる力が弱いので、汚れの落ち具合が良くないという欠点がある。
【考案の開示】
【考案が解決しようとする課題】
【０００３】  ブラインド掃除の効率と確実性と手軽さを総合的に向上させる為の低価格な器具を提供する。
【課題を解決するための手段】
【０００４】  まず、確実性を上げる為には雑巾等を手に持って直接拭いた方が、対象物に直接力が加わりやすいので良い。この事を踏まえて、本考案は、羽根を閉じた状態のブラインドを雑巾等で拭く際に、そのブラインドを反対側の面から支持し固定する為の器具として、板材の片面に本体を手に装着させる為の構造を設け、その反対側の面には本体とブラインドが滑らないようにする為に滑り止め加工を施した。
【考案の効果】
【０００５】  羽根を閉じた状態のブラインドを雑巾等で拭く際に、それを本考案のブランド拭き掃除補助板で背面から支持すると、ブラインドの羽根がふにゃふにゃと撓むことなく平らな状態に保たれ、更に、力を加えて強くごしごしと拭いても、その動きにつられて同時にブラインドが動いてしまうという現象が、滑り止め加工によって防止される。このように、ブラインドの汚れを拭くという作業の効率と確実性が両立でき、更に、準備や後始末にも時間がかからないので手軽に使用できる。また、構造が極めて単純であるから価格も抑えられる。
【考案を実施するための最良の形態】
【０００６】  人の手より大きめの面積の板材の片面に、それを手の平に密着させた状態で固定する為のハンドホルダーを設ける。その反対側の面には、全面に滑り止めシートを貼り付けるなどして、滑り止めの効果を持たせる。
【図面の簡単な説明】
【０００７】
【図１】本考案の本体である。
【図２】図１を反対側から見た図である。
【図３】本考案の本体の側面図である。
【図４】使用状態を示す参考図である。
【図５】使用状態を示す平面図である。
【符号の説明】
【０００８】１  本考案本体
２  板材
３  ハンドホルダー
４  滑り止め加工部分
５  ブラインド
６  雑巾
７  左手
８  右手
【図１】
0003108097.tif 000003
【図２】
0003108097.tif 000004
【図３】
0003108097.tif 000005
【図４】
0003108097.tif 000006
【図５】
0003108097.tif 000007
【手続補正書】
【提出日】平成16年11月2日(2004.11.2)
【手続補正１】
【補正対象書類名】実用新案登録請求の範囲
【補正対象項目名】全文
【補正方法】変更
【補正の内容】
【実用新案登録請求の範囲】
【請求項１】
板材の片面に、本体を手に装着させる為のハンドホルダーを設け、反対側の面に、滑り止め加工を施したブラインド拭き掃除補助板。
(57)【要約】      （修正有）【課題】狭いスペースでも動きが良いマウスを提供する。【解決手段】マウスコードの取り付け位置をマウス本体１の左２又は右上面側に突起して、親指・人差し指間や薬指・小指間をはさむように配置する。【選択図】図１
0003108091.tif 000002
【実用新案登録請求の範囲】
【請求項１】
マウスコードの取り付け位置がマウス本体の右又は左上面側に突起して、親指・人差し指間や薬指・小指間をはさむように配置しコードレスのような感覚で、狭いスペースでも動きが良い事。
【考案の詳細な説明】
【技術分野】
【０００１】この考案は（マウス）の左又は右上面に接続コードを配したパソコン、コンピュータの入力装置マウスに関するもの。
【背景技術】
【０００２】マウスの接続コードは、そのほとんどが前部に位置していた。又上部中央ではスクロールボタンなどに接触してしまう。
【考案が解決しようとする課題】
【０００３】このような欠点があった、広いスペースでは問題ないが、狭いと前部から出ているコードと、障害物でまとわり付くようにスムーズな移動が出来ない事で、微妙なコントロール入力ミスが出た。  これはマウス前部の低い位置にコードが接続してあるからです。
【課題を解決するための手段】
【０００４】図面による説明として  マウス▲１▼の左▲２▼又は右のどちらか一方選択の上部から親指人差し指間または薬指小指間を挟むよしにした、この発明だとスクロールボタンもうまく機能することが分かった。
考案を実施するための最良の形態】
【０００５】以上のことから  マウスの構造も単純なため容易に製作できる。
【考案の効果】
【０００６】このようなことからマウス（回転ボールを用いる入力装置）のコードが邪魔にならなく、狭い作業スペースでの移動入力操作が、コードレスなみに軽やかで、微妙な入力にもこたえてくれる。
【図面の簡単な説明】
【０００７】        左が斜視図で右が前視図です。
【符号の説明】
【０００８】▲１▼  本体  ▲２▼  コード出入り口  ▲３▼  コード  ▲４▼  スクロールボタン
【図１】
0003108091.tif 000003
【手続補正書】
【提出日】平成16年9月17日(2004.9.17)
【手続補正１】
【補正対象書類名】実用新案登録請求の範囲
【補正対象項目名】全文
【補正方法】変更
【補正の内容】
【実用新案登録請求の範囲】
【請求項１】
マウスコードの取り付け位置がマウス本体の右又は左上面側に突起して、親指・人差し指間や薬指・小指間をはさむように配置しコードレスのような感覚で、狭いスペースでも動きが良いマウス。
(57)【要約】【課題】  流動性、通気性があって軽量であり、大部分の表面が平滑で外観に凹凸がひびきにくく、液漏れを起こす心配のないパッドを提供すること。【解決手段】  気体封入部２と液体封入部３とを有し、気体封入部２に、前後面を貫通する通気用孔７を形成してある。衣服の胸部に装着されるパッド１の場合には、気体封入部２内の上部に液体封入部３を設け、気体封入部２の下部に複数の通気用孔７を下縁に沿って形成すると良い。【選択図】          図１
0003108022.tif 000002
【実用新案登録請求の範囲】
【請求項１】
気体封入部と液体封入部とを有し、前記気体封入部に、前後面を貫通する通気用孔を形成したことを特徴とするパッド。
【請求項２】
衣服の胸部に装着されるパッドであって、前記気体封入部内の上部に前記液体封入部を設け、前記気体封入部の下部に複数の通気用孔を下縁に沿って形成した請求項１に記載のパッド。
【請求項３】
請求項１又は２に記載のパッドの外面を布製のカバーで被覆し、衣服へ出し入れ自在に装着されるパッド。
【考案の詳細な説明】
【技術分野】
【０００１】
本考案は、ブラジャー等の衣服の胸部に装着するのに好適なパッドに関する。
【背景技術】
【０００２】
ブラジャー、キャミソール、ブラスリップ等の衣服の胸部には、乳房形状を補正して美しく見せるためにパッドを装着したものが多い。このようなパッドは、綿やポリウレタン等の軟質素材を用いるのが一般的である。
しかしながら、綿やポリウレタンは、軟質であるとはいっても皮膚の感触とは異質であり、流動性が無いため身体の形状になじみにくかった。
このため、近年では、袋内に油等の液体を充填したパッドが装着されるようになっている。液体を充填したパッドは、流動性があって、人体になじみやすいが、重くて装着感が悪い。
【０００３】
また、液体を充填したパッドと同様になじみ易く、しかも軽いパッドとして、気体充填部分と液体充填部分とを有するパッドも知られている。
しかし、液体のみを充填したパッドも、気体と液体とを充填したパッドも、通気性が悪いという共通の欠点がある。
そこで、液体充填パッドに本体を貫通する複数の孔を設けたブラジャーパッドが提案されている（特許文献１参照）。
ところが、上記従来のブラジャーパッドのように、全体に分散するように孔を設けると、パッド全面に亘って凹凸が形成されて外観にひびく虞があり、液体充填部分に多数の孔を形成してあるため、万が一孔の部分に漏れがあると、液体がしみ出す心配もある。
【０００４】
【特許文献１】実用新案登録第３０７９９１１号公報
【考案の開示】
【考案が解決しようとする課題】
【０００５】
本考案が解決しようとする課題は、流動性、通気性があって軽量であり、大部分の表面が平滑で外観に凹凸がひびきにくく、液漏れを起こす心配のないパッドを提供することにある。
【課題を解決するための手段】
【０００６】
本考案のパッドは、気体封入部と液体封入部とを有し、前記気体封入部に、前後面を貫通する通気用孔を形成してある。
衣服の胸部に装着されるパッドの場合は、前記気体封入部内の上部に前記液体封入部を設け、前記気体封入部の下部に複数の通気用孔を下縁に沿って形成すると良い。
衣服へ出し入れ自在に装着されるパッドであれば、外面を布製のカバーで被覆することが望ましい。
【考案の効果】
【０００７】
請求項１に係る考案によれば、気体封入部と液体封入部とを設けたので、流動性があって身体の形状になじみやすく、しかも軽くて装着感がよい。
また、気体封入部に通気用孔を形成してあるので、通気性を確保できると共に、長期間使用して通気用孔の部分に漏れが発生しても液体がしみ出す虞がない。
請求項２に係る考案によれば、汗が流れ落ちやすい下部に通気用孔が形成されているので、効率よく蒸れを解消することができ、しかも、通気用孔が厚みの薄いパッド下部に形成されるので、凹凸が目立たない。
請求項３に係る考案によれば、通気性のある布製の袋で被覆されているため、衣服から取り出した時に体裁が良く、通気性を阻害する心配もない。
【考案を実施するための最良の形態】
【０００８】
以下、ブラジャーに装着される胸部用のパッドである実施例について、図面に基づき詳細に説明する。図１は、パッド１の平面図であり、図２は、パッド１の断面図である。
パッド１は、気体封入部２と液体封入部３とを有する。
気体封入部２は、パッド１の外形を構成し、外袋４の内部に空気等の無害な気体１１を充填して成る。
外袋４は、プラスチック製の前面シート５及び後面シート６の外周囲を溶着して形成される。また、外袋４の下部には、前面シート５及び後面シート６を貫通するように、複数の通気用孔７が下縁に沿って形成されている。各通気用孔７の周縁は、前面シート５と後面シート６とを溶着することによって密封されている。
【０００９】
液体封入部３は、内袋８の内部に油等の液体１２を充填して成り、気体封入部２内の上部において、通気用孔７が形成されていない部分に収納される。
内袋８は、プラスチック製の内部前面シート９及び内部後面シート１０の外周囲を溶着して形成される。
また、内袋８は、上縁が外袋４の上縁に沿う形状で、高さが外袋４の１／２〜２／３程度の大きさに形成され、内袋８の上縁が外袋４の前面シート５及び後面シート６の上縁間に挟まれて一体に溶着され、これにより、気体封入部２内の上部に液体封入部３が固定される。
【００１０】
従って、パッド１の通気用孔７は、厚みが薄くて、汗が流れ落ちやすい気体封入部２の下部に形成されているので、蒸れ防止効果が高く、通気用孔７を形成したことによって段差の大きい凹凸が発生せず、通気用孔７から液漏れを起こす心配もない。
なお、ブラジャー等の衣服に内蔵されて取り出せないパッドの場合には、図１及び図２に示すように気体封入部２が露出していても良いが、衣服に出し入れ自在に装着されるパッド１’は、図３に示すように、外面を通気性のある布製で袋状のカバー１３により被覆すると、取り出したときに体裁がよい。
また、パッド全体の大きさ、厚み、形状や、通気用孔の数は、図示のものに限定されず、適宜変更することができる。
【図面の簡単な説明】
【００１１】
【図１】本考案の実施例を示すパッドの平面図。
【図２】本考案の実施例を示すパッドの断面図。
【図３】出し入れ可能なパッドの平面図。
【符号の説明】
【００１２】
１，１’  パッド
２  気体封入部
３  液体封入部
４  外袋
５  前面シート
６  後面シート
７  通気用孔
８  内袋
９  内部前面シート
１０  内部後面シート
１１  気体
１２  液体
１３  カバー
【図１】
0003108022.tif 000003
【図２】
0003108022.tif 000004
【図３】
0003108022.tif 000005